(57)【要約】      （修正有）【課題】使用者の頭部及び肩の自重によってまくらを固定することにより、就寝時の頸部の動きを抑制することで頸部に掛かる負担を軽減し、貯まった疲労を取り、快適に眠ることができる健康まくらを提供する。【解決手段】まくら本体１０と、まくら本体を固定する器具本体２０とを有した健康まくらであって、器具本体は、まくら本体が載置される板状のまくら乗せ部２１と、載置されたまくら本体を保持するまくら保持部２２と、を備えており、まくら保持部は、まくら乗せ部の表側の左右両端において、まくら乗せ部と略９０度の角度を保つようまくら乗せ部の内側へ向かって付勢して取り付けてあり、まくら本体は、上面中央部に略円形状の凹部１１を設けてあり、まくら乗せ部の前端には、前方に張り出した肩乗せ部３０を有している。【選択図】図１
0003219807.tif 000002
【実用新案登録請求の範囲】
【請求項１】
まくら本体と、まくら本体を固定する器具本体とを有した健康まくらであって、
器具本体は、まくら本体が載置される板状のまくら乗せ部と、載置されたまくら本体を保持するまくら保持部と、を備えており、
まくら保持部は、まくら乗せ部の表側の左右両端において、まくら乗せ部と略９０度の角度を保つようまくら乗せ部の内側へ向かって付勢して取り付けてあり、
まくら本体は、上面中央部に略円形状の凹部を設けてあり、
まくら乗せ部の前端には、前方に張り出した肩乗せ部を有していることを特徴とする健康まくら。
【請求項２】
前記まくら本体の側面には、顎に宛がうための軟質製の顎支持部材をまくら本体の上面から飛び出した位置で保持できる収容部を有していることを特徴とする、請求項１記載の健康まくら。
【考案の詳細な説明】
【技術分野】
【０００１】
本考案は、使用者の肩をまくらの一部に乗せてその重さにより移動を制限することで、使用者の頭部から頸部の動きも制限することができるまくらに関するものである。
【背景技術】
【０００２】
日中、頭の重さを支え続けている首は、疲労が貯まりやすい箇所である。就寝時、寝具に横になる際には頭の重さはまくらへと吸収され、一見して首への負担は軽減されるように見えるが、一般に販売されているまくらは底面が曲面を成しており、睡眠時に体を動かすと頭や首も動いてしまい、結果としてまくらがずれてしまうことが多い。このため、頭がまくらから落ちてしまったり、首が明後日の方向に向くことにより首への負担が増えてしまったりする虞がある。
【０００３】
また、口呼吸は健康に悪いとされており、睡眠時の口呼吸によって虫歯や風邪を引いてしまう虞がある。本考案者も文献１に示すような頭部の自重によって鼻呼吸を促す健康まくらを提案しているが、文献１にて提案したまくらは口を押えるために緩衝材で包まれたベニヤ板等を用いて顎を押圧する構成であったため、頭部の重さによって押し付けられた顎が睡眠時に痛くなっていた。
【先行技術文献】
【特許文献】
【０００４】
【特許文献１】実登３２１７２６４号
【考案の概要】
【考案が解決しようとする課題】
【０００５】
本考案は上記事情に鑑み、まくらの一部に使用者の肩を乗せることで、その重さによってまくらの動きを制限し、首の動きをも制限せしめることができ、さらに、鼻呼吸を促すために顎を押圧して、容易に、且つ、顎が痛くならないように睡眠中の口呼吸を防止することができる首の疲れが軽くなる健康まくらを提供することを目的とする。
【課題を解決するための手段】
【０００６】
まくら本体と、まくら本体を固定する器具本体とを有した健康まくらであって、器具本体は、まくら本体が載置される板状のまくら乗せ部と、載置されたまくら本体を保持するまくら保持部と、を備えており、まくら保持部は、まくら乗せ部の表側の左右両端において、まくら乗せ部と略９０度の角度を保つようまくら乗せ部の内側へ向かって付勢して取り付けてあり、まくら本体は、上面中央部に略円形状の凹部を設けてあり、まくら乗せ部の前端には、前方に張り出した肩乗せ部を有していることを特徴とする。
【０００７】
前記まくらの側面には、顎に宛がうための軟質製の顎支持部材をまくら本体の上面から飛び出した位置で保持できる収容部を有していることを特徴とする。
【考案の効果】
【０００８】
請求項１の考案によれば、本考案の健康まくらの一部である肩乗せ部に、使用者自身の肩を乗せることに加えて、まくら本体に乗せた頭部と、肩乗せ部に乗せた両肩で健康まくらが３点支持されることで、健康まくらの移動を制限することができる。このように、健康まくらの移動が制限されることで頸部の動きが抑制され、睡眠時における使用者の頸部の負担を軽減し、快適な睡眠を取ることができる。
【０００９】
請求項２の考案によれば、健康まくらの使用者が横向きに寝る際に、まくら本体に取付けられた顎保持部際が、使用者の顎を押圧して睡眠時に口が開くのを防ぎ、鼻呼吸を促すことができる。この時、使用者の顎を押圧する顎保持部材は、ゴムをはじめとする弾性を持った素材を使用しており、睡眠時において使用者の顎を強く抑えすぎないようにすることで、顎が痛くならない程よい力が使用者の顎に掛かり、無意識のうちに顎を外してしまうのを防ぐことができる。また、顎を押さえることによって頭部の動きを制限でき、頸部の動きも抑制され、睡眠時における使用者の頸部の負担を軽減し、快適な睡眠を取ることができる。
【図面の簡単な説明】
【００１０】
【図１】本考案の健康まくらの斜視図である。
【図２】仰向けに寝る場合の使用例を示す概略図である。
【図３】（ａ）は健康まくらの側面図であり、（ｂ）は横向きに寝る場合の使用例を示す概略図である。
【図４】（ａ）はまくら本体の斜視図であり、（ｂ）はまくら本体のＡ−Ａ断面図である。
【図５】（ａ）は器具本体を底面から見た斜視図であり、（ｂ）は角度変更部を略垂直に起こした際の斜視図である。
【考案を実施するための形態】
【００１１】
本考案の健康まくらは、図１に示されるようにまくら本体１０と、前記まくら本体１０を載置する器具本体２０及び器具本体２０に設けられた肩乗せ部３０を有する。なお、ここで言う前後とは、図１にて示した方向を言う。
【００１２】
図４（ａ）及び（ｂ）に示すように、まくら本体１０は略直方体状のまくらであって、まくら本体１０を覆うまくらカバー１３と、まくらカバー１３とまくらスポンジ１４の間である収容部Ｓに収容されている顎支持部材１２と、中央に略円形状に窪んだ凹部１１とを備えている。また、まくらスポンジ１４の下方には、スポンジ台１５が備えられている。
まくら本体１０に設けられた凹部１１は、図４（ｂ）に示すようにまくらスポンジ１４の中央を円形にくり抜き、その上からまくらカバー１３を被せることで、まくらスポンジ１４の空洞内にまくらカバー１３が落ち込んで形成されている。
顎支持部材１２は、円盤状に切り取られた厚さ約３ｍｍのゴム板であり、まくら本体１０の左右どちらかの端部に、図４（ａ）のように縦になるように収容部Ｓに挿入されている。挿入された顎支持部材１２は、まくら本体１０の上面から上方に飛び出しており、これにまくらカバー１３を掛けるとまくら本体１０の側面部がやや盛り上がり、図１に示すような押止部１２ａが形成される。
収容部Ｓは、本実施形態例においてまくらカバー１３とまくらスポンジ１４の間に生じる隙間としているが、まくらカバー１３に顎支持部材１２を収容できる大きさのポケットなどを設けても良い。
【００１３】
器具本体２０は、矩形板状のまくら乗せ部２１と、前記まくら乗せ部２１の左右両側に取付けられたまくら保持部２２、２２と、まくら乗せ部２１の底面に取付けられた角度変更部２４と、肩乗せ部３０を有しており、まくら乗せ部２１の上面にまくら本体１０を着脱自在に載置できるようになっている。
まくら保持部２２は、外形が略半円板形の部材であり、二つのまくら保持部２２、２２がまくら乗せ部２１の対向する縁部に取付けてある。詳しくは、蝶番とバネで構成された付勢部材２３を用いて、まくら乗せ部２１に対して回動可能に取付けられており、まくら乗せ部２１に対して略直角となるようまくら乗せ部２１の内側へ向かって付勢されている。
角度変更部２４は、まくら乗せ部２１に載置されたまくら本体１０の傾斜角度の調節に用いられるものであり、図５に示されるようにまくら乗せ部２１の底面側、後端に取付けられている。詳しくは、まくら乗せ部２１の後端において、蝶番２５によって起倒自在に取付けてある。角度変更部２４を起こさなければ図５（ａ）のような状態になり、角度変更部２４を略９０度起こせば図５（ｂ）のような状態になるため、使用者の好みに応じて本考案の健康まくらの角度が変更できる。なお、角度変更部２４を設置しないで本考案の健康まくらを使用しても良い。つまり、健康まくらの傾斜角度をつけずに使用しても良い。
【００１４】
肩乗せ部３０は、器具本体２０において、前述のまくら乗せ部２１に着脱自在となるように構成され、まくら乗せ部２１の前側に取り付けられており、カバー３１と、緩衝材３２及びゴム３３を備えている。前記カバー３１は、まくら乗せ部２１の横幅と略同じ横幅を持つ、外形が略矩形状の袋である。袋状になっているカバー３１の内部には、カバー３１よりも一回り小さい矩形板状を呈し、スポンジのような軟質な素材の緩衝材３２が収められている。
カバー３１は、まくら乗せ部２１の前端に被せられている。この時、器具本体２０の底面側においてカバー３１の開口部には、まくら乗せ部２１の横幅よりもわずかに短い長さのゴム３３が一体的に取付けてあり、カバー３１をまくら乗せ部２１の前端に被せると、ゴム３３の伸縮性によってまくら乗せ部２１の底面側におけるカバー３１の開口部が締め付けられ、器具本体２０から外れ難くなる。また、図５（ａ）及び（ｂ）に示すように、ゴム３３はカバー３１の器具本体２０の底面側にのみ取付けられているため、器具本体２０の底面側のカバー３１の生地の皺や、ゴム３３そのものが器具本体２０も底面側に隠れる一方で、器具本体２０の上面側のカバー３１は生地に皺ができず見た目の良い健康まくらとすることができる。
なお、肩乗せ部３０は、本実施形態例において着脱自在に取付けてあるが、まくら乗せ部２１と一体的に構成されていても良い。
【００１５】
次に、本考案の健康まくらの具体的な使用方法について説明する。
まず、仰向けに寝る際に使用する場合は、図２に示すように、器具本体２０に固定されたまくら本体１０に使用者の頭部を乗せる。この時、使用者の後頭部が、まくら本体１０に設けられた凹部１１にすっぽりと嵌まるように健康まくらの位置を調節する。まくら本体１０に頭部が乗ると肩乗せ部３０に両肩が乗ることで、健康まくらを頭部、両肩の３点で支持するため、睡眠時に健康まくらがずれてしまうのを防ぐことができる。加えて、図４のように、まくら本体１０の下部には、まくらスポンジ１４を支えるスポンジ台１５が備えてあることから、まくら本体１０の重心が下がり安定の良いまくら本体１０となっているため、よりずれにくい健康まくらとすることができる。
上記のようなまくらであれば、睡眠時の身動ぎによってまくらがずれることが無いため、使用者の頸部が明後日の方向に向くことも無くなり、睡眠時における頸部への負担を軽くすることができ、日中頸部に蓄積した疲労を回復することも可能である。また、頸部への負担が掛からず、両肩を乗せた肩乗せ部３０には軟質な素材の緩衝材３２が用いられていることから、睡眠を阻害するような不快感や痛みが無く、気持ちよく眠ることができる。
【００１６】
さらに、横を向いて寝る際に使用する場合は、図３（ｂ）に示すように本考案の健康まくらをやや傾けて使用する。使用者の頭部は、まくら本体１０に設けられた凹部１１に左右どちらかの耳が嵌まるように、且つ、前記押止部１２ａを使用者の下顎に宛がうようにして頭部を乗せる。使用者の下顎を押止部１２ａに押し当てることで、睡眠時に口が開かないようにすることができ、口呼吸を防止して鼻呼吸を促すことが可能となる。加えて、顎支持部材１２はゴム板のような軟質な素材を用いているため、睡眠時に下顎が押し当てられていても痛くなり難く、また、ゴム板の持つ弾性により、心地よい反発力を使用者にもたらすことができるため、無意識下においても押止部１２ａから下顎を外すことが無い。
この時、肩乗せ部３０には、片方の肩の側面が乗っており、頭部の自重と相まって本考案の健康まくらを２点で支えている。この場合においても、頭部及び肩の自重によって健康まくらを押さえているため、ずれ難い健康まくらとすることができる。したがって、前述した仰向けに寝る場合と同様に、健康まくらがずれ難くなることで、使用者の頸部への負担を軽くして、蓄積された疲労を取ることができる。
【符号の説明】
【００１７】
１０  まくら本体
１１  凹部
１２  顎支持部材
１２ａ  押止部
Ｓ  収容部
２０  器具本体
２１  まくら乗せ部
２２  まくら保持部
３０  肩乗せ部
【図１】
0003219807.tif 000003
【図２】
0003219807.tif 000004
【図３】
0003219807.tif 000005
【図４】
0003219807.tif 000006
【図５】
0003219807.tif 000007